(57)【特許請求の範囲】
【請求項１】
一方の容器の口部に装着される本体を有し当該本体が前記一方の容器を倒立させた状態で他方の容器の口部に装着されることで、前記一方の容器からの内容物を当該他方の容器に詰め替えることができる詰め替え用注出キャップであって、
前記本体は、容器の口部に通じる通路を有し、当該本体に、この本体の通路を横方向に貫通し、その横軸方向の移動によって開閉可能な弁体が設けられ、
前記本体は、容器の口部に通じる通路が形成されたノズル及び前記他方の容器の口部の上端に接する上端壁を有し、当該ノズルの先端が前記他方の容器に詰め替えた内容物の上端面に一致するように設定され、
前記本体は、前記他方の容器の口部を外側から囲む周壁、又は前記他方の容器の口部の内側に嵌合する側壁を有することを特徴とする詰め替え用注出キャップ。
【請求項２】
請求項１において、前記弁体は、その外側面に前記通路を連通させる周溝が形成された筒体であることを特徴とする詰め替え用注出キャップ。
【請求項３】
一方の容器の口部に装着される本体を有し当該本体が前記一方の容器を倒立させた状態で他方の容器の口部に装着されることで、前記一方の容器からの内容物を当該他方の容器に詰め替えることができる詰め替え用注出キャップであって、
前記本体は、容器の口部に通じる通路を有し、当該本体に、この本体の通路を横方向に貫通し、その横軸周りの回転によって開閉可能な弁体が設けられ、
前記本体は、容器の口部に通じる通路が形成されたノズル及び前記他方の容器の口部の上端に接する上端壁を有し、当該ノズルの先端が前記他方の容器に詰め替えた内容物の上端面に一致するように設定され、
前記本体は、前記他方の容器の口部を外側から囲む周壁、又は前記他方の容器の口部の内側に嵌合する側壁を有することを特徴とする詰め替え用注出キャップ。
【請求項４】
請求項３において、前記弁体は、その外側面に開口部を有し前記通路を連通させる貫通孔が形成された筒体であることを特徴とする詰め替え用注出キャップ。
【発明の詳細な説明】
【技術分野】
【０００１】
本発明は、一方の容器に充填された内容物を他方の容器に詰め替えるために用いられる、詰め替え用注出キャップに関するものである。
【背景技術】
【０００２】
詰め替え用注出キャップとしては従来、２つの容器の口部にそれぞれ、上下方向からねじ付けることができる筒状の本体を有し、当該本体の内側に、プルトップ付きの仕切り膜を形成したものがある（例えば、特許文献１参照）。
【先行技術文献】
【特許文献】
【０００３】
【特許文献１】特開２０００−１５９２４９号公報
【発明の概要】
【発明が解決しようとする課題】
【０００４】
しかしながら、従来の詰め替え用注出キャップは、いずれか一方の容器に装着した状態ではキャップとしての機能を果たすが、詰め替えを行う際には、他方の容器を装着する前に、予め仕切り膜を開放しておかなければならない。
【０００５】
このため、当該キャップが例えば、内容物を供給する側の容器に装着されている状態で、他方の容器に詰め替えを行うには、仕切り膜を開放するに次いで、他方の容器を倒立させた状態でねじ付けた後、再度、当該容器が下側になるように反転させることで、内容物の詰め替えを行う必要がある。
【０００６】
即ち、詰め替え用注出キャップにあっては、容器に対する装着手順が制約されることで、使い易さの点において改善の余地がある。
【０００７】
本発明の目的とするところは、簡単な操作で詰め替えを行うことができる、新規な詰め替え用注出キャップを提供することにある。
【課題を解決するための手段】
【０００８】
本発明は、一方の容器の口部に装着される本体を有し当該本体が前記一方の容器を倒立させた状態で他方の容器の口部に装着されることで、前記一方の容器からの内容物を当該他方の容器に詰め替えることができる詰め替え用注出キャップであって、
前記本体は、容器の口部に通じる通路を有し、当該本体に、この本体の通路を横方向に貫通し、その横軸方向の移動によって開閉可能な弁体が設けられ、
前記本体は、容器の口部に通じる通路が形成されたノズル及び前記他方の容器の口部の上端に接する上端壁を有し、当該ノズルの先端が前記他方の容器に詰め替えた内容物の上端面に一致するように設定され、
前記本体は、前記他方の容器の口部を外側から囲む周壁、又は前記他方の容器の口部の内側に嵌合する側壁を有することを特徴とするものである。
【０００９】
本発明に従えば、本体の通路を開閉する弁体としては、当該弁体を、その外側面に開口部を有し前記通路を連通させる貫通孔が形成された筒体や、その外側面の一部が切り欠かれて前記通路を連通させる筒体等とすることができるが、当該弁体を、その外側面に前記通路を連通させる周溝が形成された筒体とすることもできる。また、本発明に従えば、筒体とは、その断面形状が円形のものに限定されることなく、例えば、四角形等の多角形状のものも含む。
【００１０】
また、本発明は、一方の容器の口部に装着される本体を有し当該本体が前記一方の容器を倒立させた状態で他方の容器の口部に装着されることで、前記一方の容器からの内容物を当該他方の容器に詰め替えることができる詰め替え用注出キャップであって、
前記本体は、容器の口部に通じる通路を有し、当該本体に、この本体の通路を横方向に貫通し、その横軸周りの回転によって開閉可能な弁体が設けられ、
前記本体は、容器の口部に通じる通路が形成されたノズル及び前記他方の容器の口部の上端に接する上端壁を有し、当該ノズルの先端が前記他方の容器に詰め替えた内容物の上端面に一致するように設定され、
前記本体は、前記他方の容器の口部を外側から囲む周壁、又は前記他方の容器の口部の内側に嵌合する側壁を有することを特徴とするものである。
【００１１】
本発明に従えば、前記弁体を、その外側面の一部が切り欠かれて前記通路を連通させる筒体等とすることができるが、その外側面に開口部を有し前記通路を連通させる貫通孔が形成された筒体とすることもできる。
【発明の効果】
【００１３】
本発明の詰め替え用注出キャップは、内容物が充填されている側の一方の容器に装着しておくことで、弁体を操作しない限り、当該容器からの内容物の漏れを防止することができる。このため、内容物が充填されている側の一方の容器を倒立させることで、内容物を充填すべき他方の容器に装着しても、内容物が漏れることがない。即ち、一方の容器を倒立させて他方の容器に装着させるという簡単な操作で、２つの容器を詰め替え状態にすることができる。
【００１４】
他方の容器に装着した後も、弁体を左側或いは右側に直線移動させるという簡単な操作で、又は、弁体を時計回り或いは反時計回りに回転させるという簡単な操作で、内容物を詰め替えることができる。
【００１５】
従って、本発明によれば、簡単な操作で内容物の詰め替えを行うことができる。
【００１６】
また、前記本体に、容器の口部に通じる通路が形成されたノズルを設け、当該ノズルの先端が他方の容器に詰め替えた内容物の上端面に一致するように設定すれば、詰め替え側に注出された内容物の上端面がノズルの先端に一致した時点で、詰め替えを自動的に停止させることができる。このため、更に簡単な操作で内容物の詰め替えを行うことができる。
【図面の簡単な説明】
【００１７】
【図１】本発明の第１の形態である、詰め替え用注出キャップを、充填容器の要部と共に側面から示す断面図である。
【図２】同形態に係る、詰め替え用注出キャップを用いて、内容物の詰め替えが行われる詰め替え用容器の要部を一部断面で示す側面図である。
【図３】(a),(b)はそれぞれ、本発明の第１の形態である、直動弁タイプの詰め替え用注出キャップ及び、同キャップに係る弁体を示す斜視図である。
【図４】同形態に係る、詰め替え用注出キャップを用いて、充填容器の内容物が詰め替え用容器に詰め替える直前の状態を一部断面で示す側面図である。
【図５】同形態に係る、詰め替え用注出キャップを用いて、充填容器の内容物が詰め替え用容器に詰め替えた状態を一部断面で示す側面図である。
【図６】本発明の第２の形態である、詰め替え用注出キャップを、充填容器の要部と共に側面から示す断面図である。
【図７】(a),(b)はそれぞれ、本発明の第２の形態である、回動弁タイプの詰め替え用注出キャップ及び、同キャップに係る弁体を示す斜視図である。
【図８】(a),(b)はそれぞれ、同形態に係る、詰め替え用注出キャップを一部断面で示す側面図及び、その底面図である。
【図９】同形態に係る、詰め替え用注出キャップを用いて、充填容器の内容物が詰め替え用容器に詰め替える直前の状態を一部断面で示す側面図である。
【図１０】同形態に係る、詰め替え用注出キャップを用いて、充填容器の内容物が詰め替え用容器に詰め替えた状態を一部断面で示す側面図である。
【発明を実施するための形態】
【００１８】
以下、図面を参照して、本発明に従う、詰め替え用注出キャップを詳細に説明する。
【００１９】
図１〜５には、本発明の第１の形態を示す。図１において、符号１ａは、内容物Ｃを充填する空間Ｓaを形成する充填ボトルである。充填ボトル１ａは、空間Ｓaを外界に通じさせる口部２ａを有し、この口部２ａの外周には、環状のリブ３ａが一体に設けられている。また口部２ａの下側には、図示せぬキャップを装着するためのおねじ部４ａが形成されている。これにより、通常は、図示せぬキャップによって空間Ｓaが密閉された状態にある。
【００２０】
充填ボトル１ａとしては、例えば合成樹脂製のブロー成形品が挙げられる。充填ボトル１ａは、外観形状を維持する保形性を有する通常のブロー成形ボトルの他、変形によって減容させることができる薄肉のブロー成形ボトルとすることもできる。内容物Ｃとしては、例えば、シャンプー、コンディショナ又は液体石鹸等が挙げられる。
【００２１】
これに対し、図２の符号１ｂは、充填ボトル１ａの内容物Ｃが詰め替えられる詰め替え用ボトルである。詰め替え用ボトル１ｂは、空間Ｓbを外界に通じさせる口部２ｂを有し、この口部２ｂの下端外周には、環状のリブ３ｂが一体に設けられている。
【００２２】
また、符号４は、口部２ｂの内側を通って外界に延在する内筒体４ａと、この内筒体を取り囲むように同心配置される外筒体４ｂとを一体に有する注出具である。注出具４は、内筒体４ａと外筒体４ｂとにより口部２ｂに対して嵌合保持されると共に、口部２ｂに設けたリブ３ｂを外筒体４ｂの内側に形成した凹部４ｃに係止させることで、口部２ｂに対して抜け止め保持される。
【００２３】
図３の符号１０は、本発明の第１の形態である、直動弁タイプの詰め替え用注出キャップ（以下、「直動式キャップ」）である。直動式キャップ１０は、図１に示すように、充填ボトル１ａに装着される本体１１を有する。
【００２４】
本体１１は、口部２ａを取り囲む周壁１２を有し、この周壁１２の内周下端に設けられた複数の突起１２ａが、口部２ａのリブ３ａに係止されることで、充填ボトル１ａに対して抜け止め保持される。加えて、本体１１の内側には、口部２ａの上端に接する下端壁１３から口部２ａを内側から封止する環状シール部１３ａが形成されている。
【００２５】
また本体１１の内側には、充填ボトル１ａの口部２ａに通じる通路ｒ1が形成されたノズル１５が一体に形成されている。
【００２６】
本形態では、ノズル１５の先端１５ｅを、詰め替え用ボトル１ｂに直動式キャップ１０を装着して、詰め替え用ボトル１ｂに内容物Ｃを詰め替えたときに、内容物Ｃの液面（上端面）Ｆが所望する液面レベルと一致するように、その長さＬを設定する。即ち、ノズル１５の先端１５ｅを、図５に示すように、詰め替え用ボトル１ｂに詰め替えた内容物Ｃの液面Ｆに一致するように設定する。
【００２７】
なお、本形態では、本体１１の内側に、詰め替え用ボトル１ｂの口部２ｂの上端に接する上端壁１４が形成されているため、ノズル１５として設定すべき長さＬは、図１に示すように、ノズル１５の先端１５ｅと上端壁１４の上面との間の長さとして規定される。
【００２８】
更に、本体１１には、この本体１１の通路ｒ1を横方向に貫通して、その横軸（軸線Ｏx）方向に沿った直線移動によって、当該通路ｒ1を開閉可能な弁体１６が設けられている。
【００２９】
弁体１６は、通路ｒ1と同径又はそれよりも径の大きな筒体１６ａを有する。この筒体１６ａは、本体１１を横方向に貫通して、図４，５に示すように、左右に移動させることができる。また、筒体１６ａの外側面１６ｆには、図３(b)に示すように、軸線ＯX周りに全周にわたって通路ｒ1を連通させる周溝ｇが形成されている。これにより、周溝ｇが、図１等に示すように、通路ｒ1に一致しない状態では、空間Ｓaは外界に対して遮断される一方、周溝ｇが、図５に示すように、通路ｒ1に一致すると、充填ボトル１ａの空間Ｓaがノズル１５を通して外界に通じる。
【００３０】
なお、周溝ｇは、少なくとも通路ｒ1とノズル１５の通路が連通すればよく、筒体１６ａの全周に亘って形成されるものに限定されることなく、筒体１６ａの外側面１６ｆに開口部を有し通路ｒ1を連通させる貫通孔が形成された筒体や、筒体１６ａの外側面１６ｆの一部が切り欠かれて通路Ｒ1との連通を可能にする筒体等とすることができる。本発明に従えば、筒体１６ａは、本形態のように、その断面形状が円形のものに限定されることなく、例えば、四角形等の多角形状のものも含む。
【００３１】
また、筒体１６ａの両端にはそれぞれ、フランジ１６ｂが取り付けられている。これにより、筒体１６ａの移動は、フランジ１６ｂによって規制される。本形態では、フランジ１６ｂがストッパとして機能するため、周溝ｇは、図４のように、図面右側のフランジ１６ｂがストッパとして機能したとき、通路ｒ1を遮断し、図５のように、図面左側のフランジ１６ｂがストッパとして機能したとき、通路ｒ1を連通させるよう、筒体１６ａの軸線ＯX方向に位置決めされている。
【００３２】
本発明に従う直動式キャップ１０は、内容物Ｃが充填されている側の充填ボトル１ａに装着しておくことで、弁体１６を操作しない限り、図１に示すように、充填ボトル１ａからの内容物Ｃの漏れを防止することができる。このため、詰め替えに際し、図４に示すように、内容物Ｃが充填されている側の充填ボトル１ａを倒立させることで、内容物Ｃを充填すべき詰め替え用ボトル１ｂに装着しても、内容物Ｃが漏れることがない。即ち、充填ボトル１ａを倒立させて詰め替え用ボトル１ｂに装着させるという簡単な操作で、２つのボトル１ａ，１ｂを図４に示すような詰め替え状態にすることができる。
【００３３】
詰め替え用ボトル１ｂに装着した後も、弁体１６を軸線Ｏxに沿って左側或いは右側に移動させる（本形態では、図５に示すように、充填ボトル１ａを逆さまに装着させた状態で、弁体１６を右側に移動させる）という簡単な操作で、充填ボトル１ａの内容物Ｃを詰め替え用ボトル１ｂに詰め替えることができる。
【００３４】
従って、本発明に従う直動式キャップ１０によれば、簡単な操作で内容物Ｃの詰め替えを行うことができる。
【００３５】
また、本形態の如く、本体１１に、詰め替え用ボトル１ｂの口部２ｂに通じる通路ｒ1が形成されたノズル１５を設け、このノズル１５の先端１５ｅが詰め替え用ボトル１ｂに詰め替えた内容物Ｃの液面Ｆに一致するように設定すれば、図５に示すように、詰め替え用ボトル１ｂ側に注出された内容物Ｃの液面Ｆがノズル１５の先端１５ｅに一致した時点で、充填ボトル１ａからの注出、即ち、詰め替えを自動的に停止させることができる。このため、更に簡単な操作で内容物Ｃの詰め替えを行うことができる。
【００３６】
図６〜１０には、本発明の第２の形態を示す。なお、充填ボトル１ａ及び詰め替え用ボトル１ｂ等、第１の形態と同一部分は同一符号をもって、その説明を省略する。
【００３７】
符号２０は、本発明の第２の形態である、回動弁タイプの詰め替え用注出キャップ（以下、「回動式キャップ」）である。回動式キャップ２０は、図６に示すように、充填ボトル１ａに装着される本体２１を有する。
【００３８】
本体２１も、第１の形態と同様、口部２ａを取り囲む周壁２２を有し、この周壁２２の内周下端に設けられた複数の突起２２ａが、口部２ａのリブ３ａに係止されることで、充填ボトル１ａに対して抜け止め保持される。加えて、本体２１の内側にも、口部２ａの上端に接する下端壁２３から口部２ａを内側から封止する環状シール部２３ａが形成されている。
【００３９】
また本体２１の内側にも、充填ボトル１ａの口部２ａに通じる通路ｒ2が形成されたノズル２５が一体に形成されている。
【００４０】
本形態も、第１の形態と同様、ノズル２５の先端２５ｅを、詰め替え用ボトル１ｂに回動式キャップ２０を装着して、充填ボトル１ｂに内容物Ｃを詰め替えたとき、内容物Ｃの液面Ｆが所望する液面レベルと一致するように、その長さＬを設定する。即ち、第１の形態と同様、ノズル２５の先端１５ｅを、図１０に示すように、詰め替え用ボトル２０に詰め替えた内容物Ｃの液面Ｆに一致するように設定する。
【００４１】
なお、本形態も、第１の形態と同様、本体２１の内側に、詰め替え用ボトル１ｂの口部２ｂの上端に接する上端壁２４が形成されているため、ノズル２５として設定すべき長さＬは、図６に示すように、ノズル２５の先端２５ｅと上端壁２４の上面との間の長さとして規定される。
【００４２】
また、下端壁２３からは、図７等に示すように、ノズル２５を取り囲むように２つの側壁２３ｂが一体に設けられている。側壁２３ｂはそれぞれ、ノズル２５を詰め替え用ボトル１ｂの口部２ｂに差し込んだとき、この口部２ｂの内側に嵌合する。これにより、回動式キャップ２０は、充填ボトル１ａと共に詰め替え用ボトル１ｂに装着することができる。
【００４３】
更に、本体２１には、この本体２１を横方向に貫通して、その軸線Ｏx周りの回転によって開閉可能な弁体２６が設けられている。
【００４４】
弁体２６は、通路ｒ2と同径又はそれよりも径の大きな筒体２６ａを有する。筒体２６ａの一端には、図７(b)に示すように、２つの切り込みによって区画された変形及び復元の可能な、２つの弾性舌片２６ｂが形成されている。これにより、筒体２６ａを本体２１の横方向から挿入すれば、図６等に示すように、弾性舌片２６ｂが本体２１に係止されることで、当該筒体２６ａが抜け止め保持された状態で、本体２１を軸線ＯX周りに時計回り又は反時計回りに回転させることができる。
【００４５】
また、筒体２６ａには、図７(b)に示すように、通路ｒ2を連通させる貫通孔ｈが形成されている。筒体２６ａの外側面２６ｆには、軸線ＯXを挟んで対向する位置にそれぞれ、貫通孔ｈによって開口部Ａが形成される。これにより、開口部Ａが、図１等に示すように通路ｒ2に一致しない状態では、空間Ｓaは外界に対して遮断される一方、貫通孔ｈの開口部Ａが、図１０に示すように通路ｒ2に一致すると、充填ボトル１ａの空間Ｓaがノズル２５を通して外界に通じる。
【００４６】
これに対し、筒体２６ａの他端には、フランジ２６ｃが回転不能に固定されている。フランジ２６ｃには、縦リブ状の摘み部２６ｄが一体に形成されている。本形態では、弁体２６は、摘み部２６ｄがノズル２５と平行になるように回転させたとき、通路ｒ2を遮断し、摘み部２６ｄがノズル２５と直交するように回転させたとき、通路ｒ2を連通させる。
【００４７】
本発明に従う回動式キャップ２０も、内容物Ｃが充填されている側の充填ボトル１ａに装着しておくことで、弁体２６を操作しない限り、図６に示すように、充填ボトル１ａからの内容物Ｃの漏れを防止することができる。このため、詰め替えに際し、図９に示すように、内容物Ｃが充填されている側の充填ボトル１ａを倒立させることで、内容物Ｃを充填すべき詰め替え用ボトル１ｂに装着しても、内容物Ｃが漏れることがない。即ち、第１の形態と同様、充填ボトル１ａを倒立させて詰め替え用ボトル１ｂに装着させるという簡単な操作で、２つのボトル１ａ，１ｂを図９に示すような詰め替え状態にすることができる。
【００４８】
詰め替え用ボトル１ｂに装着した後も、弁体２６を左側或いは右側に回転させる（本形態では、図１０に示すように、充填ボトル１ａを逆さまに装着させた状態で、弁体１６の摘み部２６ｄをノズル２５の延在方向と一致するように回転させる）という簡単な操作で、充填ボトル１ａの内容物Ｃを詰め替え用ボトル１ｂに詰め替えることができる。
【００４９】
従って、本発明に従う回動式キャップ２０によれば、簡単な操作で内容物Ｃの詰め替えを行うことができる。
【００５０】
また、本形態も、第１の形態と同様、本体２１に、詰め替え用ボトル１ｂの口部２ｂに通じる通路ｒ1が形成されたノズル２５を設け、このノズル２５の先端２５ｅが詰め替え用ボトル１ｂに詰め替えた内容物Ｃの液面Ｆに一致するように設定すれば、図１０に示すように、詰め替え用ボトル１ｂ側に注出された内容物Ｃの液面Ｆがノズル２５の先端２５ｅに一致した時点で、充填ボトル１ａからの注出、即ち、詰め替えを自動的に停止させることができる。このため、更に簡単な操作で内容物Ｃの詰め替えを行うことができる。
【００５１】
上述したところは、本発明の一形態を示したに過ぎず、特許請求の範囲内において、種々の変更を加えることができる。例えば、上述の形態に従う注出具４には、詰め替え用ボトル１ｂに詰め替えした後の内容物Ｃを外界に注出するためのノズルを設けることができるが、その場合、本発明に従う詰め替え用注出キャップ（１０，２０）は、そのノズル１５を注出具４に設けたノズルを通して詰め替えを行う。また、本発明に従えば、詰め替え用ボトル１ｂは、ポンプディスペンサ等を備えるもののように、注出具４を設ける必要がない場合には、ノズル１５を直接口部２ｂに通して詰め替えることも可能である。
【００５２】
更に、本発明によれば、内容物としては、例えば、液体石鹸や洗顔料、コンディショナや整髪料、或いは、黴取り剤等の薬剤等の、様々なものを適用できる。また、上述の各形態に採用された各構成はそれぞれ、互いに適宜組み合わせることができる。
【産業上の利用可能性】
【００５３】
本発明は、内容物が充填された充填容器に装着して、その内容物を詰め替え用容器に詰め替えることを目的とするものであればよい。従って、充填容器としては、薄肉容器は勿論、保形性を有する通常の容器にも適用できる。同様に、詰め替え用容器の種類も問わない。
【符号の説明】
【００５４】
１ａ    充填ボトル
１ｂ    詰め替え用ボトル
２ａ    充填ボトル口部
２ｂ    詰め替え用ボトル口部
４      注出具
１０    詰め替え用注出キャップ
１１    本体
１２    周壁
１３    下端壁
１４    上端壁
１５    ノズル
１５ｅ  ノズル先端
１６    弁体
１６ａ  筒体
１６ｂ  フランジ
１６ｆ  筒体外側面
２０    詰め替え用注出キャップ
２１    本体
２２    周壁
２３    下端壁
２４    上端壁
２５    ノズル
２５ｅ  ノズル先端
２６    弁体
２６ａ  筒体
２６ｂ  弾性舌片
２６ｃ  フランジ
２６ｄ  摘み部
２６ｆ  筒体外側面
ｈ      貫通孔
ｒ1,ｒ2 通路
Ｓa,Ｓb 充填空間
【図１】
0005595695.tif 000002
【図２】
0005595695.tif 000003
【図３】
0005595695.tif 000004
【図４】
0005595695.tif 000005
【図５】
0005595695.tif 000006
【図６】
0005595695.tif 000007
【図７】
0005595695.tif 000008
【図８】
0005595695.tif 000009
【図９】
0005595695.tif 000010
【図１０】
0005595695.tif 000011